(57)【特許請求の範囲】
【請求項１】
画像を撮影する撮像装置であって、
レンズ部と、
前記レンズ部の前面の閉位置と前記レンズ部の前面以外の開位置との間で移動可能なレンズカバーと、
前記レンズカバーが前記レンズ部の前面に位置するときに、前記レンズカバーより前面に位置する開口部を有する筐体と、
前記レンズカバーを前記開位置から前記閉位置への方向に付勢するねじりバネと、
前記ねじりバネを回動可能に嵌めるカバー支軸と、
概略コの字状であり、前記レンズカバーと一体に設けられ、前記カバー支軸で支持される軸保持部と
を備え、
前記カバー支軸は、前記軸保持部のコの字を形成する３面のうちの上面及び下面を貫いて、前記軸保持部を回動可能に支持し、
前記レンズカバーが前記閉位置にあるときに、前記筐体の底部側に位置する前記レンズカバーの下端部と前記開口部の前記レンズカバーの下端部に対向する位置との間の第１クリアランスが、前記レンズカバーの上端部と前記開口部の前記レンズカバーの上端部に対向する位置との間の第２クリアランスより小さくなるように、前記レンズカバーは、前記レンズカバーの下端部が前記開口部側に迫り出した状態に前記開口部に対して傾いて取り付けられている撮像装置。
【請求項２】
前記軸保持部の上面及び下面はそれぞれ、前記カバー支軸が貫通する第１貫通孔及び第２貫通孔を有し、
前記第２貫通孔は、前記第１貫通孔よりも大きな径を有し、
前記カバー支軸は、前記軸保持部の下面を、前記第１貫通孔を中心とした球面上で移動可能に支持する請求項１に記載の撮像装置。
【請求項３】
前記軸保持部のコの字を形成する３面のうちの側面は、前記軸保持部の下面側に前記ねじりバネを掛止する掛止部を有し、
前記軸保持部は、前記ねじりバネによって付勢され、前記レンズカバーの下端部が前記開口部側に迫り出して前記カバー支軸に支持される請求項１または請求項２に記載の撮像装置。
【請求項４】
前記軸保持部の上面及び下面はそれぞれ、前記カバー支軸が貫通する第１貫通孔及び第２貫通孔を有し、
前記第１貫通孔及び前記第２貫通孔は、前記レンズカバーの下端部が前記開口部側に迫り出す位置に設けられている請求項１に記載の撮像装置。
【請求項５】
画像を撮影する撮像装置であって、
レンズ部と、
前記レンズ部の前面の閉位置と前記レンズ部の前面以外の開位置との間で移動可能なレンズカバーと、
前記レンズカバーが前記レンズ部の前面に位置するときに、前記レンズカバーより前面に位置する開口部を有する筐体と、
前記レンズカバーを前記開位置から前記閉位置への方向に付勢するねじりバネと、
前記ねじりバネを回動可能に嵌めるカバー支軸と、
概略Ｌ字型であり、前記レンズカバーと一体に設けられ、前記カバー支軸で支持される軸保持部と
を備え、
前記軸保持部は、
前記カバー支軸を貫通させる貫通孔を有する前記Ｌ字型の短面と、
前記短面の表面及び裏面にそれぞれ設けられた前記貫通孔の第１開口及び第２開口と、
前記ねじりバネを掛止する掛止部を有する前記Ｌ字型の長面と
を有し、
前記短面は、前記軸保持部が前記ねじりバネで付勢された場合に、前記カバー支軸と前記第１開口の端部及び前記第２開口のうち前記第１開口の端部に対向する端部とが当接し、前記レンズカバーの下端部が前記開口部側に迫り出した状態で静止するのに十分な厚さを有し、
前記レンズカバーが前記閉位置にあるときに、前記筐体の底部側に位置する前記レンズカバーの下端部と前記開口部の前記レンズカバーの下端部に対向する位置との間の第１クリアランスが、前記レンズカバーの上端部と前記開口部の前記レンズカバーの上端部に対向する位置との間の第２クリアランスより小さくなるように、前記レンズカバーは、前記レンズカバーの下端部が前記開口部側に迫り出した状態に前記開口部に対して傾いて取り付けられている撮像装置。
【発明の詳細な説明】
【０００１】
【発明の属する技術分野】
本発明は、撮像装置に関する。特に本発明は、開閉自在なレンズカバーを有する撮像装置に関する。
【０００２】
【従来の技術】
従来の撮像装置は、撮影を行わないときに、埃の付着や、摩擦によってレンズに傷が付いたりするのを防ぐために、レンズを保護する開閉自在なレンズカバーを備える。レンズカバーの開閉動作には、様々な機構が採用されている。例えば、直線運動や回動によって開位置及び閉位置の間を移動するレンズカバーが知られている。
【０００３】
【発明が解決しようとする課題】
近年、撮像装置に対するユーザの要求は多様化しており、より小型で、より見栄えのよい撮像装置が好まれている。これに伴って、撮像装置を構成する各部品、特に駆動系の部品の小型化と、これを実現するための駆動力の抑制が要求される。レンズカバーについても、外観上優れかつ利便性のよいものが要求される。
【０００４】
そこで本発明は、上記の課題を解決することのできる撮像装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像を撮影する撮像装置である。この装置は、レンズ部と、前記レンズ部の前面の閉位置と前記前面以外の閉位置との間で移動可能なレンズカバーと、前記レンズカバーが前記レンズ部の前面に位置するときに、前記レンズカバーよりも前面に位置する開口部を有する筐体とを備える。前記レンズカバーが前記閉位置にあるときに、前記筐体の底部側に位置する前記レンズカバーの下端部と前記開口部のうち前記下端部に対向する位置との間の第１のクリアランスが、前記レンズカバーの上端部と前記開口部のうち前記上端部に対向する位置との間の第２のクリアランスよりも少なくなるように、前記レンズカバーは、前記下端部側が前記前面側に迫り出した状態に前記開口部に対して傾いて取り付けられている。
【０００６】
前記レンズカバーを、前記開位置から前記閉位置へ向かう方向へ付勢するねじりバネと、前記ねじりバネを回動可能に嵌めるカバー支軸と、前記レンズカバーと一体に設けられ、前記カバー支軸によって支持される軸保持部とをさらに備えてもよい。
【０００７】
前記軸保持部は、概略コの字状であってもよい。前記カバー支軸は、該コの字を形成する面のうち上面及び下面を貫いて、前記軸保持部を回動可能に支持してもよい。
【０００８】
前記上面及び下面はそれぞれ、前記カバー支軸が貫通する第１及び第２の貫通孔を有してもよい。前記第２の貫通孔は、前記第１の貫通孔よりも大きな径を有してもよく、前記カバー支軸は、前記軸保持部を前記第１の貫通孔を中心とした球面上を移動可能に支持してもよい。
【０００９】
前記軸保持部のうちコの字を形成する側面は、前記下面側に前記ねじりバネを掛止する掛止部を有してもよい。前記軸保持部は、前記ねじりバネによって付勢され、前記下端部側が前記前面側に迫り出して前記カバー支軸に支持されてもよい。
【００１０】
前記上面及び下面はそれぞれ、前記カバー支軸が貫通する第１及び第２の貫通孔を有してもよい。前記第１及び第２の貫通孔は、前記下端部側が前記前面側に迫り出すような位置に設けられていてもよい。
【００１１】
前記軸保持部は、概略Ｌ字型であってもよい。前記カバー支軸を貫通させる貫通孔を有する前記Ｌ字型の短面と、前記短面の表面及び裏面にそれぞれ設けられた前記貫通孔の第１の開口及び第２の開口と、前記ねじりバネを掛止する掛止部を有する前記Ｌ字型の長面とを有してもよい。前記短面は、前記軸保持部が前記ねじりバネによって付勢された場合に、前記カバー支軸と前記第１の開口の端部及び前記カバー支軸と第２の開口のうち前記第１の開口の前記端部に対向する端部がそれぞれ当接し、前記下端部側が前記前面に迫り出した状態で静止するのに十分な厚さを有してよい。前記貫通孔は、円柱状に設けられていてもよく、また円錐台状に設けられていてもよい。
【００１２】
本発明の第２の形態は、画像を撮影する撮像装置である。この撮像装置は、レンズ部と、前記レンズ部の前面の閉位置と前記前面以外の開位置との間で移動可能なレンズカバーと、前記レンズ部及び前記レンズカバーを内側に保持し、前記レンズカバーが前記閉位置にあるときに、前記レンズカバーよりも前面に位置する開口部を有する筐体とを備える。前記レンズカバーは、前記閉位置と前記開位置との間を移動するときに前記筐体と当接すべき、凸をなす線状のガイドを外周部に有する。
【００１３】
前記ガイドは、前記レンズカバーの前記外周部のほぼ全周に設けられていてもよく、前記レンズカバーの前記外周部のうち、前記カバー支軸から最長距離の部分及び最短距離の部分が切り欠かれていてもよい。
【００１４】
本発明の第３の形態は、画像を撮影する撮像装置である。この撮像装置は、前記画像を結像するレンズ部と、ファインダーとを備える。前記ファインダーのうち外界に面した開口部分は、少なくともその主要部分が前記レンズ部の外接四角形の内側に位置するように設けられている。
【００１５】
本発明の第４の形態は、画像を撮影する撮像装置である。この撮像装置は、音声を出力するスピーカーと、音声を入力するマイクとを備える。前記スピーカーは、カメラ前面に向かって右の側面に位置し、前記画像を撮影するときに、ユーザーの手によって覆われる位置を避けて設けられ、前記マイクは、前記カメラ前面の左上部に設けられている。
【００１６】
なお上記の発明の概要は、本発明の必要な特徴の全てを列挙したものではなく、これらの特徴群のサブコンビネーションも又発明となりうる。
【００１７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１８】
図１は、デジタルカメラ１０の外観を示す。図１（Ａ）は前面、（Ｂ）は右側面を示す。デジタルカメラ１０の前面に、レンズ部１０２、ファインダー１４、シャッター２２、フラッシュ部２４、及び音声を入力するマイク１６が設けられ、デジタルカメラ１０の右側面に、入出力端子２０、メモリーカード挿入口２６、及び音声を出力するスピーカー１８が設けられている。図１（Ａ）のフラッシュ部２４は、突出位置に位置し、図１（Ｂ）のフラッシュ部２４は、収納位置に位置する。このように、フラッシュ部２４は、収納位置と突出位置との間を移動可能に設けられている。
【００１９】
スピーカー１８は、デジタルカメラ１０の右側面におけるフラッシュ部２４の下部に設けられている。スピーカー１８は、デジタルカメラ１０の右側面すなわちグリップ部２８の反対側に設けられているので、ユーザが撮影を行うときも、ユーザの手で覆われることがない。従って、例えば撮影と同時に音声を出力したい場合などのように、ユーザがグリップ部２８に手を添えてデジタルカメラ１０を持った状態のときでも、ユーザは、良好な状態で音声を聴くことができる。
【００２０】
マイク１６は、前面の左上部、すなわちシャッターボタン２２の下に配置されている。ユーザは、画像を撮影する場合、大抵グリップ部２８に右手を添えて右手の人差し指でシャッターボタン２２を押下する。マイク１６は、このとき右手で覆われない位置に配置されている。また、他の部材から比較的離れた位置にあるので、他の部材が動作するのに伴って生じる雑音を比較的捉えにくい。従って、マイク１６は、雑音の少ない状態で外部の音声を取り込むことができる。
【００２１】
レンズ部１０２は、前面の右側に位置する。ファインダー１４は、レンズ部１０２の左上部に位置し、少なくともその主要部分がレンズ部１０２の外接四角形の内側に含まれるように設けられている。従って、レンズ部１０２とファインダー１４とが占めるスペースが少なくて済み、デジタルカメラ１０を小型化することができる。
【００２２】
レンズ部１０２は、レンズ１２、レンズカバー３２と前面筐体１００に設けられた開口部３０を有する。レンズカバー３２は、レンズ１２の前面及び前面以外すなわちデジタルカメラ１０の底部側の間を移動可能に前面筐体１００の内部に設けられている。撮影を行わないときは、レンズカバー３２は、レンズ１２の前面に位置し、レンズ１２を保護する。撮影を行うときは、レンズカバー３２はデジタルカメラ１０の底部側に移動し、レンズ１２が現れて、撮影可能となる。
【００２３】
図２は、デジタルカメラ１０の前面筐体１００の裏面及び前面筐体１００裏面に装着されたレンズカバー３２を示す。カバー支軸６０は前面筐体１００に固定され、カバー支軸６０は、レンズカバー３２を回動可能に支持する。これによって、レンズカバー３２は、レンズ部１０２の開位置２００と閉位置２０２との間をカバー支軸６０を中心に回動することができる。また、前面筐体１００の裏面において、レンズカバー３２が移動すべきレンズカバー移動部１０４は、他の部分に対して凹状に設けられ、レンズカバー３２は、レンズカバー移動部１０４を移動する。また、レンズカバー移動部１０４の境界線には、レンズカバー３２が回動するときにその外周部が回動する軌跡に沿ってガイド４４が設けられている。これによって、レンズカバー３２は安定して回動することができる。
【００２４】
図３は、レンズカバー３２をカバー支軸６０の軸方向から見た図である。レンズカバー３２は、その外周部に線状に設けられた凸部４２を有する。凸部４２は、レンズカバー３２が開位置２００と閉位置２０２の間を回動するときに前面筐体１００と当接する。凸部４２は、外周部のほぼ全周に渡って設けられている。このように、凸部４２が線状すなわち連続的に設けられているので、レンズカバー３２は、開位置２００と閉位置２０２との間を回動する場合に、前面筐体１００の面に引っ掛かかることなく滑らかに前面筐体１００上を摺動することができる。
【００２５】
また、凸部４２のうちカバー支軸６０から最長距離の部分及び最短距離の部分は、切り欠かれている。このように、最長距離の部分の凸部４２が切り欠かれているので、カバー支軸６０から最長部分までの距離が短くなり、レンズカバー３２が回動する軌跡が占める面積を少なくすることができる。
【００２６】
図４は、レンズカバー３２をカバー支軸６０の軸方向に対して垂直な方向から見た断面図である。凸部４２は、ハーフパンチを施され、前面筐体１００側にわずかに凸をなし、凸の上部が前面筐体１００に当接する。他の形態としては、凸部４２は、レンズカバー３２の凸部４２以外の部分に比べて前面筐体１００側に傾いた状態に曲げられてもよい。この場合も凸部４２は、前面筐体１００に当接する。レンズカバー３２は、凸部４２の上部が前面筐体１００に当接した状態で開位置２００と閉位置２０２との間を回動する。そのため、レンズカバー３２全体が前面筐体１００に当接した状態で回動する場合に比べて摺動抵抗が少ない。従って、より小さな力で、レンズカバー３２を回動させることができる。また、レンズカバー３２のうち凸部４２以外の部分は、他の部材と接触しないので、摺動するときに傷が付かない。従って、レンズカバー３２のうち開口部３０から外部に露出する部分は、レンズカバー３２の開閉を繰り返しても、傷付くことがなく外観上良好な状態を保つことができる。他の形態としては、レンズカバー３２の外周部に、凸状の部材を接着してもよい。
【００２７】
図５は、前面筐体１００の裏面に装着されたレンズカバー３２とその開閉を担う構成を示す斜視図である。レンズカバー３２の開閉は、カバー支軸６０、ねじりバネ６２、ピン６４、及び駆動部７０によって実現される。軸保持部３４は、概略コの字状に設けられ、コの字を形成する３面のうち上面３６及び下面３８はそれぞれカバー支軸６０を貫通させる第１貫通孔４８及び第２貫通孔５０を有し、下面３８はさらにピン６４を有する。コの字を形成する側面４０は、掛止部４６を有する。カバー支軸６０は、第１貫通孔４８及び第２貫通孔５０を貫通し、軸保持部３４を回動可能に支持する。レンズカバー３２は、軸保持部３４と一体に設けられており、軸保持部３４と共に移動する。
【００２８】
掛止部４６は、側面４０において、レンズカバー３２が閉位置２０２に位置するときに、デジタルカメラ１０の上側に位置する上端部５２側の辺で、かつの上面３６側の位置に設けられている。ねじりバネ６２は、カバー支軸６０に嵌められ、上面３６と下面３８の間に位置し、その一端は、側面４０の掛止部４６に掛止される。掛止部４６は、ねじりバネ６２によって押圧され、時計方向に付勢される。従って、レンズカバー３２は、常に開位置２００から閉位置２０２の方向へ付勢される。これによって、レンズカバー３２は、開位置２００から閉位置２０２へ回動することができる。
【００２９】
一方、レンズカバー３２の閉位置２０２から開位置２００への回動は、駆動部７０からの付勢力によって実現する。駆動部７０は、コの字を呈し、ピン６４を移動可能に挟み込む凹部７４と駆動部支軸７２とを有する。駆動部７０は、凹部７４にピン６４を移動可能に挟み込んだ状態で、駆動部支軸７２を中心に回動する。軸保持部３４が開位置２００と閉位置２０２の間を移動すると、ピン６４と駆動部支軸７２の間の距離は変化する。駆動部７０の凹部７４は、軸保持部３４が開位置２００に位置する場合においてもピン６４が凹部７４から外れないように形成されている。これによって、ピン６４は、安定して凹部７４に嵌まることができる。
【００３０】
駆動部７０は、駆動力によってピン６４を閉位置２０２から開位置２００の方向へ付勢する。従って、レンズカバー３２は、駆動部７０からの付勢力によって閉位置２０２から開位置２００の方向へ回動することができる。駆動部７０からの付勢力は、ねじりバネ６２がレンズカバー３２に与える付勢力よりも大きい。従って、レンズカバー３２は、駆動部７０によって付勢されると、ねじりバネ６２からの付勢に抗して、閉位置２０２から開位置２００の方向へ回動することができる。
【００３１】
駆動部７０はまた、ピン６４へ付勢力を供給、または停止する。駆動部７０から付勢されていないとき、レンズカバー３２は、ねじりバネ６２の付勢によって閉位置２０２に位置する。駆動部７０からピン６４へ付勢力が供給されると、レンズカバー３２は、駆動部７０の付勢によって、ねじりバネ６２からの付勢に抗して、閉位置２０２から開位置２００へ回動する。駆動部７０が付勢力の供給を停止すると、レンズカバー３２は、再び、ねじりバネ６２の付勢によって開位置２００から閉位置２０２に戻る。このように、レンズカバー３２は、ねじりバネ６２によって常に開位置２００から閉位置２０２へ付勢され、さらに、駆動部７０から付勢を受けたときにねじりバネ６２の付勢に抗して閉位置２０２から開位置２００の方向に回動するので、レンズカバー３２は、開位置２００及び閉位置２０２へ自在に移動することができる。
【００３２】
ここで、レンズカバー３２の動作を説明する。デジタルカメラ１０が停止した状態のとき、レンズカバー３２は、閉位置２０２に位置する。ユーザによって電源が投入されると、駆動部７０が駆動し、ピン６４を付勢する。これに連動して、レンズカバー３２が開き、レンズ１２が現れる。以上で、撮影の準備が整い、ユーザは、撮影を行うことができる。駆動部７０が駆動するきっかけ、すなわちレンズカバー３２が回動するきっかけは、電源投入以外でもよく、例えば、ユーザからの入力によってレンズカバー３２が開いてもよい。撮影が終了し、ユーからの指示によって、駆動部７０の動作が停止すると、ねじりバネ６４からの付勢力によってレンズカバー３２は閉じる。以上で、レンズカバー３２の動作が終了する。
【００３３】
図６は、軸保持部３４及びカバー支軸６０を示す斜視図である。第１貫通孔４８は、第２貫通孔５０よりもわずかに大きな径を有する。例えば、５％程度大きな径を有してもよい。このように、下面３８は、カバー支軸６０によって緩く嵌められているので、第１貫通孔４８を中心とした球面上を自由に移動することができる。
【００３４】
側面４０は、ねじりバネ６２によってカバー支軸６０を中心に時計回りに付勢される。掛止部４６は上面３６側に位置し、第２貫通孔５０は第１貫通孔４８を中心とした球面上を移動可能に保持されている。このため、下面３８は、レンズカバー３２の上端部５２に対向する下端部５４側の辺が前面筐体１００側に迫り出し、第２貫通穴５０とカバー支軸６０が当接した状態で静止する。レンズカバー３２は、軸保持部３４すなわち下面３８と一体に設けられているので、このとき下面３８と共に移動し、下端部５４側が前面筐体１００側に迫り出した状態に傾く。これによって、カバー支軸６０は、レンズカバー３２を常に下端部５４側が前面筐体１００側に迫り出した状態で安定に保持することができる。また、レンズカバー３２を傾かせる付勢力は、ねじりバネ６２から与えられるので、電力を必要とせずにレンズカバー３２を傾かせることができる。
【００３５】
また、このレンズカバー３２の傾きの程度は、第２貫通孔５０の径の大きさ、及び第１貫通孔４８から第２貫通孔５０までの距離によって決まる。従って、設計の段階で、第２貫通穴５０の大きさ、及び第１貫通穴４８から第２貫通穴５０までの距離を決めることによって、レンズカバー３２の迫り出しの程度を自由に設定することができる。
【００３６】
図７は、レンズカバー３２が閉位置２０２にあるときの前面筐体１００及びレンズカバー３２をデジタルカメラ１０の右側面から見た断面図である。レンズカバー３２は、前面筐体１００の内側に設けられ、開口部３０はレンズ１２の前面に位置する。本図においては、レンズカバー３２は、レンズ部１０２の前面に位置し、開口部３０はレンズカバー３２の前面に位置する。
【００３７】
前面筐体１００の底部側に位置するレンズカバー３２の下端部５４と開口部３０のうち下端部５４に対向する下部８２との間の第１クリアランス８４が、上端部５２と開口部３０のうち上端部５２に対向する位置との間の第２クリアランス８６よりも少なくなるように、レンズカバー３２は、下端部５４側が前面筐体１００方向に迫り出した状態に開口部３０に対して傾く。本図に示すような開口部３０とレンズカバー３２との位置関係は、図６を用いて説明したねじりバネ６２と軸保持部３４の形状によって実現される。このように、第１クリアランス８４が小さいので、レンズカバー３２が閉じた状態において第１クリアランス８４から埃などが混入するのを防ぐことができ、かつ外観上好ましい状態にレンズカバー３２を閉じることができる。
【００３８】
図８は、第２実施形態における軸保持部３４及びカバー支軸６０を示す斜視図である。本実施の形態の軸保持部３４は、概略Ｌ字型に設けられ、この点で本実施の形態は、軸保持部３４がコの字状に設けられている第１実施形態と異なる。Ｌ字の短辺をなす短面９６は、カバー支軸６０を貫通させる貫通孔を有し、短面９６の表面７６及び裏面７８にそれぞれ貫通孔の第１開口９０及び第２開口９２が設けられている。表面貫通口９２は、裏面貫通口９０よりも大きな径を有し、貫通孔は裏面貫通口９０から表面貫通口９２にかけて円錐台状に設けられている。従って、表面７８は、裏面貫通口９０を中心とした球面上を自由に移動することができる。Ｌ字の長辺をなす長面９４は、長面９４のうちレンズカバー３２の上端部５２側でかつ短面９６と反対側の位置に、ねじりバネ６２を掛止する掛止部４８を有する。
【００３９】
短面９６は、軸保持部３４がねじりバネ６２によって付勢された場合に、カバー支軸６０と、第１開口９０の下端部５４側の端部とカバー支軸６０及び第２開口９２のうち第１開口９０の端部に対向する上端部５２側の端部とカバー支軸６０がそれぞれ当接し、レンズカバー３２の下端部５４側が筐体前面１００に迫り出した状態で静止するのに十分な厚さを有する。つまり、この場合も第１実施形態と同様に、表面貫通口９２の径の大きさ及び貫通孔の裏面貫通口９０から表面貫通口９２までの距離すなわち短面９６の厚さによって、レンズカバー３２の迫り出しの程度を決定することができる。これ以外の構成は、第１実施形態における軸保持部３４とほぼ同様である。
【００４０】
このように、本実施形態においても、ねじりバネ６２の付勢力によって、レンズカバー３２は、カバー支軸６０が２つの貫通口それぞれと当接して静止するので、レンズカバー３２の下端部５４側が前面筐体１００側に迫り出した状態で安定して保持されることができる。また、傾きの程度は、表面貫通口９２の径の大きさ及び短面９６の厚さを決めることによって所望の角度に設計することができる。
【００４１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４２】
そうした第１の変更例としては、本実施の形態においては、第２貫通孔５０は、第１貫通孔４８よりも大きな径を有したが、第１貫通孔４８と第２貫通孔５０は同じ径に設けられてもよく、この場合、第１貫通孔４８と第２貫通孔５０は、それぞれ上面３６及び下面３８においてレンズカバー３２の下端部５４が前面筐体１００側に迫り出す位置に設けられていてもよい。この場合においても、レンズカバー３２は常に下端部５４が前面筐体１００側に迫り出した状態に傾くことができる。
【００４３】
第２の変更例としては、本実施の形態においては、ねじりバネ６２は、上面３６と下面３８との間でカバー支軸６０に嵌められていたが、上面３６よりも前面筐体１００側に設けられていてもよい。この場合、側面４０は、前面筐体１００側に延長して設けられていてもよい。
【００４４】
第３の変更例としては、本実施の形態においては、軸保持部３４のレンズカバー３２側の第１貫通孔４８が、第２貫通孔５０よりも大きな径を有したが、第２貫通孔５０が第１貫通孔４８よりも大きな径を有してもよい。
【００４５】
第４の変更例としては、本実施の第２の形態においては、貫通孔は円錐台状に設けられていたが、裏面貫通口９０及び表面貫通口９２は同じ大きさの径を有し、かついずれもカバー支軸６０に緩く嵌められてもよい。この場合も、表面７８すなわち軸保持部３４は、裏面貫通口９０と表面貫通口９２にカバー支軸６０が当接して静止し、レンズカバー３２は、下端部５４側が前面筐体１００に迫り出した状態に傾くことができる。
【００４６】
第５の変更例としては、本実施の形態においては、凸部４２はレンズカバー３２のほぼ全周に設けられていたが、凸部４２の位置及び長さはこれに限定されるものではない。凸部４２は、レンズカバー３２が開位置２００及び閉位置２０２の間を回動する場合に、前面筐体１００と線接触して摺動することができるように設けられていればよく、その設計の自由度は高い。
【００４７】
第６の変更例としては、本実施の形態においては、凸部４２はカバー支軸６０から最長距離の部分及び最短距離の部分は切り欠かれていたが、凸部４２は、レンズカバー３２の全周に設けられていてもよい。また、他の部分が適宜切り欠かれていてもよい。いずれにせよ、凸部４２は、摺動抵抗が少なくなるようある程度連続して、すなわち線状に設けられていればよく、その設計の自由度は高い。
【００４８】
【発明の効果】
上記説明から明らかなように、本発明によれば外観上及び使用感上優れた撮像装置を提供することができる。
【図面の簡単な説明】
【図１】デジタルカメラ１０の外観を示す図である。
【図２】前面筐体１００の裏面及び前面筐体１００の裏面に装着されたレンズカバー３２を示す図である。
【図３】レンズカバー３２をカバー支軸６０の軸方向から見た図である。
【図４】レンズカバー３２をカバー支軸６０の軸方向に対して垂直な方向から見た断面図である。
【図５】前面筐体１００の裏面に装着されたレンズカバー３２とその開閉を担う構成を示す斜視図である。
【図６】軸保持部３４及びカバー支軸６０を示す斜視図である。
【図７】レンズカバー３２が閉位置２０２にあるときの前面筐体１００及びレンズカバー３２をデジタルカメラ１０の右側面から見た断面図である。
【図８】第２実施形態における軸保持部３４及びカバー支軸６０を示す斜視図である。
【符号の説明】
１０…デジタルカメラ    １２…レンズ    １４…ファインダー    １６…マイク    １８…スピーカー    ２０…入出力端子    ２２…シャッターボタン
２４…フラッシュ部    ２６…メモリーカード挿入口    ２８…グリップ部
３０…開口部    ３２…レンズカバー    ３４…軸保持部    ３６…上面    ３８…下面    ４０…側面    ４２…凸部    ４４…ガイド    ４６…バネ掛け部
４８…第１貫通孔    ５０…第２貫通孔    ５２…上端部    ５４…下端部
６０…軸    ６２…ねじりバネ    ６４…ピン    ７０…駆動部    ７２…軸    ７４…凹部    ９０…裏面貫通口    ９２…表面貫通口    ９４…長面
９６…短面    １００…前面筐体    １０２…レンズ部    １０４…レンズカバー移動部
【図１】
0004146982.tif 000002
【図２】
0004146982.tif 000003
【図３】
0004146982.tif 000004
【図４】
0004146982.tif 000005
【図５】
0004146982.tif 000006
【図６】
0004146982.tif 000007
【図７】
0004146982.tif 000008
【図８】
0004146982.tif 000009